(57)【要約】【課題】雑音抑制用コンデンサの消費電力の削減を含む構成回路全体の消費電力の抑制を行い且つ消費電力削減用の構成部品の高信頼性化を行なった加熱調理器を提供すること。【解決手段】電源供給経路の途中に設けた電源スイッチ１６と、電源側電源供給経路間に設けたリレー１２とコンデンサ１３の直列接続体を備え、記憶手段２４は制御手段２３がリレー１２を開から閉へとまたは閉から開へと開閉状態を変更する時の電源位相を記憶し、制御手段２３はリレー１２の開閉状態の変更を行う時の電源位相を、記憶手段２４からの情報に基づき複数種類切り替えるようにすることで、消費電力の抑制と構成回路部品の高信頼性化が図れる。【選択図】  図１
2004206939.tif 000002
【特許請求の範囲】
【請求項１】
加熱手段に電源を供給する電源供給経路と、前記電源供給経路の途中に設けた第１のスイッチと、前記第１のスイッチの電源側電源供給経路間に設けた第２のスイッチとコンデンサの直列接続体と、電源供給の有無に関わらず情報を保持する記憶手段と、前記第２のスイッチの開閉を制御する制御手段とを備え、前記記憶手段は、前記制御手段が前記第２のスイッチを開から閉または閉から開へと開閉状態を変更する時の電源位相を記憶し、前記制御手段は前記第２のスイッチの開閉状態の変更を行う時の電源位相を、前記記憶手段からの情報に基づき複数種類の位相で切り替える加熱調理器。
【請求項２】
加熱手段に電源を供給する電源供給経路と、前記電源供給経路の途中に設けた第１のスイッチと、前記第１のスイッチの電源側電源供給経路間に設けた第２のスイッチとコンデンサの直列接続体と、電源供給の有無に関わらず情報を保持する記憶手段と、前記第２のスイッチの開閉を制御する制御手段と、前記第２のスイッチの開閉状態が変化した時の電源位相を検知する接点検知手段とを備え、前記記憶手段は、前記制御手段が前記第２のスイッチを開から閉または閉から開へと開閉状態を変更する時の電源位相を記憶し、前記制御手段は前記接点検知手段と前記記憶手段からの情報に基づき、前記第２のスイッチの開閉状態の変更を行なう時の電源に対する位相を逐次切り替える加熱調理器。
【請求項３】
第２のスイッチは加熱手段への通電状態に応じて開または閉とする請求項１または２に記載の加熱調理器。
【請求項４】
第１のスイッチが閉から開となった後、前記第２のスイッチを閉から開とする請求項１〜３のいずれか１項に記載の加熱調理器。
【請求項５】
第１のスイッチが開から閉となった後、前記第２のスイッチを開から閉とする請求項１〜４のいずれか１項に記載の加熱調理器。
【請求項６】
コンデンサの両端に放電抵抗を接続した請求項１〜５のいずれか１項に記載の加熱調理器。
【発明の詳細な説明】
【０００１】
【発明の属する技術分野】
本発明は、インバータなどの高周波雑音源を有し、電源線から機器外に漏洩する濾波回路の必要な加熱調理器に関する。
【０００２】
【従来の技術】
従来、この種の加熱調理器として、例えば、図６に示すような誘導加熱調理器がある（例えば、特許文献１参照）。図６において、１は商用電源、３は商用電源１を直流に変換し高周波の電源を発生させる高周波電源、２は高周波電源３に商用電源１を接続するスイッチ、４は高周波電源により誘導加熱を行う加熱コイル、５は商用電源を入力とする直流電源であり、６は直流電源から電源供給を受け、電源スイッチと高周波電源に信号を出力する制御回路であり、７は高周波雑音抑制用のコンデンサである。
【０００３】
上記従来の加熱調理器の動作を以下に説明する。商用電源が供給されると、直流電源５は約５Ｖの出力電源を発生させ、その電源は制御回路６に供給される。制御回路６には使用者が容易に操作できる加熱入切スイッチ（図示せず）が設けられており、加熱入切スイッチを入にするとスイッチ２を閉とし高周波電源３に電源供給される。高周波電源５には加熱コイル４に高周波電流を流すか否かを制御する加熱駆動回路（図示せず）が設けられており、加熱入切スイッチの入によって、スイッチ２を閉した後、制御回路５からの入力で加熱コイル４に高周波電流を流す、すなわち加熱動作を開始する。
【０００４】
加熱動作中、加熱入切スイッチを切とすると、制御回路５からの入力で加熱コイル４への高周波電流供給を停止、すなわち加熱動作を停止した後、スイッチ２を開とし高周波電源３への電源供給を停止させる。
【０００５】
以上のように、加熱動作を行う直前に加熱に必要な高周波電源に電源供給し、加熱を行わない時は高周波電源に電源供給しない構成とすることで機器の消費電力を抑制できる。
【０００６】
【特許文献１】
特許第３２８４９６１号公報（第３−４頁、第１図）
【０００７】
【発明が解決しようとする課題】
しかしながら、前記従来の技術では、直流電源５や制御回路６で電力消費しており、またコンデンサ７でも電力消費が現存する構成となっていた。
【０００８】
本発明は、雑音抑制用コンデンサの消費電力の削減を含む構成回路全体の消費電力の抑制を行い且つ消費電力削減用の構成部品の高信頼性化を行うことを課題とする。
【０００９】
【課題を解決するための手段】
前記従来の課題を解決するために、本発明の加熱調理器は、加熱手段に電源を供給する電源供給経路と、前記電源供給経路の途中に設けた第１のスイッチと、前記第１のスイッチの電源側電源供給経路間に設けた第２のスイッチとコンデンサの直列接続体と、電源供給の有無に関わらず情報を保持する記憶手段と、前記第２のスイッチの開閉を制御する制御手段を備え、前記記憶手段は前記制御手段が前記第２のスイッチを開から閉へとまたは閉から開へと開閉状態を変更する時の電源位相を記憶し、前記制御手段は前記第２のスイッチの開閉状態の変更を行う時の電源位相を、前記記憶手段からの情報に基づき複数種類切り替えるようにしたものである。
【００１０】
これにより、第１スイッチで高周波雑音抑制回路を除く全回路の消費電力を、第２スイッチで高周波雑音抑制用コンデンサの消費電力を抑制するとともに、第２スイッチの突入電流やアークによる寿命の低下を防ぐことのできる加熱調理器が得られる。
【００１１】
【発明の実施の形態】
請求項１に記載の発明は、加熱手段に電源を供給する電源供給経路と、前記電源供給経路の途中に設けた第１のスイッチと、前記第１のスイッチの電源側電源供給経路間に設けた第２のスイッチとコンデンサの直列接続体と、電源供給の有無に関わらず情報を保持する記憶手段と、前記第２のスイッチの開閉を制御する制御手段を備え、前記記憶手段は前記制御手段が前記第２のスイッチを開から閉へとまたは閉から開へと開閉状態を変更する時の電源位相に対する位相を記憶し、前記制御手段は前記第２のスイッチの開閉状態の変更を行う時の電源に対する位相を、前記記憶手段からの情報に基づき複数種類切り替えることで、消費電力を抑制するとともに、第２スイッチの開時もしくは閉時の電源電圧を制御手段への電源供給の有無に関わらず平均的に低減でき、スイッチの接点溶着に対する信頼性を向上することができる。
【００１２】
また、制御手段で第２スイッチの開閉動作時の電源位相タイミングを複数ポイント有し、これらを開もしくは閉となる毎に周期的に駆動させることで、平均的に所望のレベルまで突入電流、アークを低減できる。前回の電源位相タイミングは逐次、不揮発性の記憶手段で記憶しているため途中、第１スイッチオフや停電等で制御手段への電源供給がなされなくとも、前述の電源位相の周期的駆動は、次回第２スイッチ駆動時も継続される。
【００１３】
請求項２に記載の発明は、加熱手段に電源を供給する電源供給経路と、前記電源供給経路の途中に設けた第１のスイッチと、前記第１のスイッチの電源側電源供給経路間に設けた第２のスイッチとコンデンサの直列接続体と、電源供給の有無に関わらず情報を保持する記憶手段と、前記第２のスイッチの開閉を制御する制御手段と、前記第２のスイッチの開閉状態が変化した時の電源位相を検知する接点検知手段を備え、前記記憶手段は前記第２のスイッチを開から閉へとまたは閉から開へと開閉状態を変更する時の電源位相を記憶し、前記制御手段は前記接点検知手段と前記記憶手段からの情報に基づき、前記第２のスイッチの開閉状態の変更を行なう時の電源位相を逐次切り替えることで、消費電力を抑制するとともに、第２スイッチの開時もしくは閉時の電源電圧を制御手段への電源供給の有無に関わらず低減でき、スイッチの接点溶着に対する信頼性を向上することができる。
【００１４】
また、制御手段では第２スイッチ駆動信号出力時の電源位相と接点検知手段から入力される電源位相第２スイッチ駆動信号出力時を逐次比較し、次回第２スイッチ駆動信号出力時に、接点検知手段から入力される電源位相をゼロに近づけるよう駆動することで突入電流、アークを微小なレベルまで低減できる。前回の電源位相タイミングは逐次、不揮発性の記憶手段で記憶しているため途中、第１スイッチオフや停電等で制御手段への電源供給がなされなくとも、前述の電源位相のゼロ駆動は、次回第２スイッチ駆動時も継続される。
【００１５】
請求項３に記載の発明は、特に、第２のスイッチは加熱手段への通電状態に応じて開または閉とすることにより、加熱手段の通電により雑音が多くなる場合、あるいは多くなると予想される場合には閉として電源に漏洩する雑音を低減するとともに、雑音が少ない状態の時には開としてコンデンサを非接続として、待機電力を少なくできる。また、第２のスイッチを閉とする機会を減じて、第２のスイッチの駆動に要する消費電力を節約することができる。
【００１６】
請求項４に記載の発明は、特に、第１のスイッチが閉から開となった後、第２のスイッチを閉から開とすることにより、第１のスイッチを開にしない限りコンデンサが電源線間に接続されるのでコンデンサによる雑音の低減作用を安定して得るとともに、第１のスイッチを開にすれば、電源供給が遮断されるので雑音が発生せず、その後適宜、第２のスイッチが開とすることでコンデンサによる待機電力の発生をなくすることができる。
【００１７】
請求項５に記載の発明は、特に、第１のスイッチが開から閉となった後、第２のスイッチを開から閉とすることにより、第１及び第２のスイッチが共に開となってからは、第１のスイッチを閉にしない限り、コンデンサによる待機電力の発生を防止することができる。
【００１８】
請求項６記載の発明は、特に、コンデンサの両端に放電抵抗を接続したことにより、第１のスイッチが開で、かつ第２のスイッチが閉の場合において、入力端子が電源から切り離されたときに、コンデンサに蓄積された電荷を放電することができるので、入力端子に触れて感電するのを防止することができる。
【００１９】
【実施例】
（実施例１）
以下本発明の一実施例について、図面を参照しながら説明する。図１は高周波磁界で被加熱鍋等を加熱するための誘導加熱コイルを有する誘導加熱調理器の回路ブロック図である。
【００２０】
図１において、商用電源１０は入力端子１１ａと他の入力端子である１１ｂを介して誘導加熱調理器に接続され、入力端子１１ａにはコモンモードコイル１５を介して、使用者が容易に操作できる第１スイッチである電源スイッチ１６、位相検知回路２２及びリレー２０の接点に接続される。電源スイッチ１６の負荷側接点は、全波整流回路であるダイオードブリッジ２７、絶縁トランスで構成された直流電源２１及び電源スイッチ開閉検知回路１９に接続され、入力端子１１ｂはコモンモードコイル１５を介して、ダイオードブリッジ２７と直流電源２１が接続され、ダイオードブリッジ２７と直流電源２１には、コモンモードコイル１５及び電源スイッチ１６を介して商用電源１０が供給される構成となっている。また、直流電源２１はリレー２０の接点、ダイオード２６を介しても入力端子１１ａ側の電源が接続されており、リレー２０の負荷側接点とダイオード２６のカソードを同極とする構成であるため、直流電源２１には電源スイッチ１６とリレー２０のいずれかが閉であれば直流電源２１に電源供給される。
【００２１】
また更に、入力端子２１ａと入力端子２１ｂとの間には、第２のスイッチであるリレー１２の接点とコンデンサ１３の直列接続体が接続される。１４はコンデンサに並列接続された放電抵抗である。ダイオードブリッジ２７はその出力を高周波電源１７に供給し、高周波電源１７は加熱手段である加熱コイル１８に高周波電流を供給する。制御手段である制御回路２３は、直流電源２１から電源供給され、電源スイッチ開閉検知回路１９、位相検知回路２２から信号入力し、リレー１２、リレー２０、高周波電源１７の冷却用のファンモータ２５及び高周波電源１７に信号出力し、記憶手段２４とは互いに信号入出力している。
【００２２】
以上のように構成された加熱調理器についてその動作を説明する。商用電源１０が入力端子１１ａ、１１ｂに接続されても、電源スイッチ１６が開であれば高周波電源１７、直流電源２１、制御回路２３には電源供給されない。
【００２３】
電源スイッチ１６が閉となると、ダイオードブリッジ２７を介して高周波電源１７と、直流電源２１に商用電源１０が供給され、制御回路２３は直流電源２１の約５Ｖの出力により動作を開始する。制御回路２３内には、使用者が容易に操作できる加熱入切スイッチ（図示せず）を有しており、加熱スイッチより加熱入りとなると、やはり制御回路２３の働きで、高周波電源１７内にある高周波電流駆動装置（図示せず）をオンし、加熱コイル１８に電流供給すなわち加熱動作を開始させる。加熱動作開始すると制御回路２３はファンモータ２３を動作させ、高周波電源１７を冷却する。リレー２０は補助的に直流電源２１に商用電源１０を半波整流して供給するもので、電源スイッチ１６が閉となった後、所定時間経過時点で制御回路２３によりオンする。
【００２４】
また、電源スイッチ開閉検知回路１９は電源スイッチ１６の開閉を図２−（ａ）で示す波形で検知し、位相検知回路２２は商用電源１０の位相を図２−（ｂ）で示す波形で検知しており、それぞれの出力は制御回路２３に入力される。
【００２５】
図３にリレーの駆動タイミングを示す。リレー１２は、電源スイッチ閉となった後で且つ前述した加熱動作前のタイミングで閉となり、コンデンサ１３とコモンモードチョークコイル１５で形成されるフィルタ回路で高周波電源から伝播する雑音を抑制する。リレー１２が閉となる際の電源位相は、あらかじめ制御回路２３内で複数段設定（ここでは８段階）されており、図３で示すようにリレーが開から閉となる毎に、（１）、（５）、（２）、（６）、（３）、（７）、（４）、（８）の順に周期的に切替て行なうようにしている。記憶手段２４では、リレー１２が閉とした時の最新の電源位相タイミング（図３の（１）〜（８）のいずれか）を逐次記憶しており、電源スイッチ１６の開やリレー１０の開や停電などで制御回路２３に電源が供給されない状態になろうとも、前述した電源位相の周期的切替動作は継続する。例えば電源位相（６）まで行なった時点で、制御回路電源オフしても、次回のリレー１２閉は（３）のタイミングから行う。記憶手段で位相を保持していないと、制御回路が初期化されるため、電源オフの度に（１）のタイミングに戻り、周期的な電源位相の切替ができない。
【００２６】
次に電源スイッチ１６が閉から開となると、高周波電源１７への電源供給が停止し、直流電源２１にはリレー２０を介して商用電源の半波が供給される。制御回路２３は電源スイッチ検知回路１９からの入力で電源スイッチ１６の開を認識し、電源スイッチ１６の開の後、リレー１２を閉から開とし、リレー１２の開後リレー２０を開とし、コンデンサ１３、放電抵抗１４、直流電源２１への電源供給を停止し、電源スイッチ１６オフ時の消費電力を抑制する。
【００２７】
ここでリレー１２が閉から開となる際の電源位相は、前述した開から閉となる際の電源位相制御と同様に、図３で示す（１）、（５）、（２）、（６）、（３）、（７）、（４）、（８）の順に周期的に切替て行ない、記憶手段２４でもまた同様に、リレー１２が開とした時の最新の電源位相タイミング（図３の（１）〜（８）のいずれか）を逐次記憶しており、電源スイッチ１６の開やリレー２０の開や停電などで制御回路２３に電源が供給されない状態になろうとも、電源位相の周期的切替動作は継続する。
【００２８】
以上のように本実施例によれば、高周波電源１７に電源電流あるいは電圧を供給する電源供給経路（入力端子１１ａからダイオードブリッジ２７に至る電源供給経路）の途中に、第１のスイッチである電源スイッチ１６を設け、電源スイッチ１６よりも電源側の極性の異なる電源供給経路間に第２のスイッチであるリレー１２とコンデンサ１３の直列接続体を接続したので、電源スイッチを開とすることにより、加熱コイル１８による加熱動作を確実に停止することができる。また、電源供給経路間にコンデンサ１３とリレー１２の直列接続体を、電源スイッチ１６のオン直後に接続し、電源スイッチ１６のオフ直後に切り離すことで、高周波電源駆動時等の必要な時のみ、コモンモードコイル１５とコンデンサ１３で構成されるフィルタ回路で雑音を抑制し、電源スイッチオフ等の場合にはフィルタ回路を切り離し、消費電力を抑制できる。
【００２９】
また、リレー１２を開から閉にする際は、制御回路への電源供給の有無にかかわらず、接点状態変更時の電源位相を複数種類周期的に切り替えることで、平均的に突入電流やアークを抑制でき、第２スイッチであるリレーの寿命の低下を防ぐことができる。本実施例では、電源スイッチ１６のオンに連動して、リレー１２をオンしており、リレー１２のオンは通常制御回路が一旦初期化されてからの動作となるため、不揮発性の記憶手段２４への電源位相情報の保持なしでは実質電源位相の周期的切替動作は実質不可能であり、リレー１２の高信頼性に関する本発明の効果は大きい。
【００３０】
また更に、リレー１２を閉から開にする際も、前述の開から閉と同様に、制御回路への電源供給の有無にかかわらず、接点状態変更時の電源位相を複数種類周期的に切り替えることで、平均的にアークを抑制でき、第２スイッチであるリレーの寿命の低下を防ぐことができる。
【００３１】
また、電源スイッチ１６が閉から開となった後、リレー１２を閉から開とすることにより、電源スイッチ１６を開にしない限りコンデンサ１３が電源線間に接続されるのでコンデンサによる雑音の低減作用を安定して得るとともに、電源スイッチ１６を開にすれば、電源供給が遮断されるので雑音が発生せず、その後適宜、がリレー１２開とすることでコンデンサ１３による待機電力の発生をなくすることができる。
【００３２】
また、電源スイッチ１６が開から閉となった後、リレー１２を開から閉とすることにより、電源スイッチ１６及びリレー１２が共に開となってからは、電源スイッチ１６を閉にしない限り、コンデンサ１３による待機電力の発生を防止することができる。
【００３３】
また、コンデンサ１３の両端に放電抵抗１４を接続したことにより、電源スイッチ１６が開で、かつリレー１２が閉の場合において、入力端子が電源から切り離されたときに、コンデンサ１３に蓄積された電荷を放電することができるので、入力端子に触れて感電するのを防止することができる。
【００３４】
また、本発明では、第１スイッチである電源スイッチ１６が開から閉となった後、第２スイッチであるリレー１２を開から閉とし、電源スイッチ１６が閉から開となった後、リレー１２を閉から開とするとして説明したが、リレー１２の加熱コイルへの通電状態に応じた動作、すなわち加熱動作中は閉、加熱停止中は開とすれば、必要に応じた雑音の低減ができるとともに、リレー１２を閉とする機会を減じて、リレー１２の駆動に要する消費電力を抑制できる。
【００３５】
（実施例２）
図４に実施例２の回路ブロックを示す。この図において、実施例１の構成図図１と同様の構成となる部分は、同一の番号を付し説明を省略する。
【００３６】
図４において、図１と異なるのは第２スイッチであるリレー１２のコンデンサ１３側接点を入力とし制御手段である制御回路２３に信号出力する接点検知手段２８が付加されたことのみである。
【００３７】
以下、実施例１とその動作の異なる箇所に着目して説明する。第１のスイッチである電源スイッチ１６が開から閉となると、その後制御手段である制御回路２３により第２スイッチであるリレー１２が開から閉となる。制御回路１２では、リレー１２を閉とする時の電源位相と接点検知回路２８から得られる実際のリレー１２閉時の電源位相からリレー１２の駆動時間（ｔ１とする）を算出し、次回のリレー１２閉時、商用電源電圧のゼロ点からｔ１前の位相でリレー閉信号を出力する。前述の動作をリレー閉出力する毎に行なうことで、実際のリレー駆動時間のバラツキを相殺し、安定したリレーゼロボルト閉動作が実現できる。図５は、ゼロボルトスイッチング動作を図的に表したものである。
【００３８】
また、記憶手段２４では、リレー１２オン時の電源位相を逐次記憶しており、電源スイッチ１６の開やリレー１０の開や停電などで制御回路２３に電源が供給されない状態になろうとも、ゼロボルトスイッチング動作を継続して行なうことができる。
【００３９】
電源スイッチ１６が閉から開となり、その後制御手段である制御回路２３により第２スイッチであるリレー１２が閉から開となる際も、前述のリレー１２の閉動作と同様にゼロボルトスイッチング動作を継続的に行なえる。
【００４０】
以上のように本実施例によれば、高周波電源１７に電源電流あるいは電圧を供給する電源供給経路（入力端子１１ａからダイオードブリッジ２７に至る電源供給経路）の途中に、第１のスイッチである電源スイッチ１６を設け、電源スイッチ１６よりも電源側の極性の異なる電源供給経路間に第２のスイッチであるリレー１２とコンデンサ１３の直列接続体を接続したので、電源スイッチを開とすることにより、加熱コイル１８による加熱動作を確実に停止することができる。
【００４１】
また、電源供給経路間にコンデンサ１３とリレー１２の直列接続体を、電源スイッチ１６のオン直後に接続し、電源スイッチ１６のオフ直後に切り離すことで、高周波電源駆動時等の必要な時のみ、コモンモードコイル１５とコンデンサ１３で構成されるフィルタ回路で雑音を抑制し、電源スイッチオフ等の場合にはフィルタ回路を切り離し、消費電力を抑制できる。
【００４２】
また、リレー１２を開から閉にする際は、制御回路への電源供給の有無にかかわらず、継続的にゼロボルトスイッチングを行なうことで、突入電流やアークを抑制でき、第２スイッチであるリレーの寿命の低下を防ぐことができる。また、リレーの動作時間（制御信号オンから接点閉もしくは開までの時間）の計時変化を吸収した高信頼性動作となる。
【００４３】
また更に、リレー１２を閉から開にする際も、前述の開から閉と同様に、制御回路への電源供給の有無にかかわらず、継続的にゼロボルトスイッチングすることで、アークを抑制でき、第２スイッチであるリレーの寿命の低下を防ぐことができる。
【００４４】
また、電源スイッチ１６が閉から開となった後、リレー１２を閉から開とすることにより、電源スイッチ１６を開にしない限りコンデンサ１３が電源線間に接続されるのでコンデンサによる雑音の低減作用を安定して得るとともに、電源スイッチ１６を開にすれば、電源供給が遮断されるので雑音が発生せず、その後適宜、がリレー１２開とすることでコンデンサ１３による待機電力の発生をなくすることができる。
【００４５】
また、電源スイッチ１６が開から閉となった後、リレー１２を開から閉とすることにより、電源スイッチ１６及びリレー１２が共に開となってからは、電源スイッチ１６を閉にしない限り、コンデンサ１３による待機電力の発生を防止することができる。
【００４６】
また、コンデンサ１３の両端に放電抵抗１４を接続したことにより、電源スイッチ１６が開で、かつリレー１２が閉の場合において、入力端子が電源から切り離されたときに、コンデンサ１３に蓄積された電荷を放電することができるので、入力端子に触れて感電するのを防止することができる。
【００４７】
また、本発明では、第１スイッチである電源スイッチ１６が開から閉となった後、第２スイッチであるリレー１２を開から閉とし、電源スイッチ１６が閉から開となった後、リレー１２を閉から開とするとして説明したが、リレー１２の加熱コイルへの通電状態に応じた動作、すなわち加熱動作中は閉、加熱停止中は開とすれば、必要に応じた雑音の低減ができるとともに、リレー１２を閉とする機会を減じて、リレー１２の駆動に要する消費電力を抑制できる。
【００４８】
【発明の効果】
以上のように、本発明によれば、雑音抑制用コンデンサの消費電力の削減を含む構成回路全体の消費電力の抑制を行い且つ消費電力削減用の構成部品の高信頼性化を図ることができる。
【図面の簡単な説明】
【図１】本発明の実施例１における加熱調理器の回路ブロック図
【図２】（ａ）本発明の実施例１における電源スイッチ開閉検知回路の入出力波形を示す図
（ｂ）本発明の実施例１における位相検知回路の入出力波形を示す図
【図３】本発明の実施例１におけるリレー駆動タイミングを示す図
【図４】本発明の実施例２における加熱調理器の回路ブロック図
【図５】本発明の実施例２におけるリレー駆動タイミングを示す図
【図６】従来の加熱調理器の回路ブロック図
【符号の説明】
１０  商用電源
１１  入力端子（電源供給経路）
１２  リレー（第２のスイッチ）
１３  コンデンサ
１４  放電抵抗
１５  コモンモードチョークコイル（電源供給経路）
１６  電源スイッチ（第１のスイッチ）
１８  加熱コイル（加熱手段）
２３  制御回路（制御手段）
２４  記憶手段
【図１】
2004206939.tif 000003
【図２】
2004206939.tif 000004
【図３】
2004206939.tif 000005
【図４】
2004206939.tif 000006
【図５】
2004206939.tif 000007
【図６】
2004206939.tif 000008